(57)【特許請求の範囲】
【請求項１】
ガスメータ内のガス流路上に設けられた緊急遮断口の周縁部に弁座が設けられるとともに、前記緊急遮断口の軸心上の一方側に、前記弁座に対し進退自在な弁体が配置されるガスメータにおける緊急遮断弁のストローク調整用弁座アダプタであって、
前記弁座における前記弁体との対向面の全周に配置される環状のアダプタ本体と、
前記アダプタ本体を前記弁座に取り付けるためのアダプタ取付手段とを備え、
前記弁体が前記アダプタ本体に接離することにより、前記緊急遮断口が開閉されるよう構成されてなることを特徴とするガスメータにおける緊急遮断弁のストローク調整用弁座アダプタ。
【請求項２】
前記アダプタ本体に、前記弁座の内側に内嵌される内嵌筒が設けられてなる請求項１記載のガスメータにおける緊急遮断弁のストローク調整用弁座アダプタ。
【請求項３】
前記アダプタ取付手段が、前記アダプタ本体の周縁に周方向に沿って均等に複数設けられ、かつ前記弁座における前記弁体に対し反対側の面に弾性係合されるフックにより構成されてなる請求項１又は２記載のガスメータにおける緊急遮断弁のストローク調整用弁座アダプタ。
【請求項４】
前記アダプタ取付手段が、接着剤により構成されてなる請求項１又は２記載のガスメータにおける緊急遮断弁のストローク調整用弁座アダプタ。
【発明の詳細な説明】
【０００１】
【発明の属する技術分野】
この発明は、緊急時にガスの供給を停止するための緊急遮断弁が設けられたガスメータにおける緊急遮断弁のストローク調整用弁座アダプタに関する。
【０００２】
【従来の技術】
図６及び図７に示すように、マイコンメータと称される膜式タイプのガスメータ（１）においては、ガス流入口（２ａ）から流入されたガスが、弁室（２）及び緊急遮断口（３）を通って計量室に導かれた後、ガス流出口（２ｂ）から流出されるようにしたガス流路を有しており、緊急時には、緊急遮断弁（１０）により、緊急遮断口（３）が閉塞されてガスの供給が停止されるよう構成している。
【０００３】
すなわち、ガスメータ（１）の後壁における緊急遮断口（３）の軸心上に、シール板（４）を介してソレノイド（１１）が取り付けられる。更にソレノイド（１１）のプランジャ（１１ａ）が弁室（２）内に配置され、そのプランジャ（１１ａ）の先端に、弁体（１２）が緊急遮断口（３）に対向状態に取り付けられる。また緊急遮断口（３）の周縁には、金属製の環状弁座（１３）が固定されている。そして、ガス流路を遮断する際には、ソレノイド（１１）を駆動して弁体（１２）を進出させて、その弁体（１２）を弁座（１３）に圧接させ、緊急遮断口（３）を閉塞してガス流路を遮断するものである。
【０００４】
またガスメータ（１）の前壁には、緊急遮断口（３）の軸心上に、遮断弁復帰軸（２１）が貫通配置されるとともに、その復帰軸（２１）の外端に遮断弁復帰ボタン（２０）が設けられる。更に遮断弁復帰軸（２１）の内端側には、緊急遮断口（３）内に挿通される態様に弁箱（２２）が取り付けられている。
【０００５】
そして上記したように、緊急遮断弁（１０）によってガス流路が遮断された際には、遮断弁復帰ボタン（２１）を押操作することにより、復帰軸（２１）及び弁箱（２２）を介して、弁体（１２）を後退させて初期位置に戻し、ガスの供給を再開できるよう構成している。
【０００６】
このように従来のガスメータ（１）は、緊急遮断弁（１０）として、閉操作が自動的に行われるとともに、開操作は手動によって行われるようにした、いわゆる単方向遮断弁が用いられている。
【０００７】
【発明が解決しようとする課題】
一方、近年になって、災害時や復旧時の迅速な対応や、経費の節減等を目的として、各家屋に設置されるガスメータを中央管理センター等の遠隔位置で管理する遠隔管理システムが検討されており、このシステムにおいては、緊急遮断弁の閉操作のみならず、開操作も自動的に行う必要がある。このため、緊急遮断弁として、閉方向と開方向の双方向の動作を一つのソレノイドで行えるようにした双方向遮断弁（電動開閉弁）の採用が望まれている。
【０００８】
しかしながら、上記従来のガスメータに採用される単方向遮断弁は、双方向遮断弁に比べて、ストローク長が長いため、その長いストロークに合わせて、弁座（１３）周辺の構造が形成されている。このため仮に、双方向遮断弁を、上記従来のガスメータにそのまま適用すると、開弁状態での弁体の位置が弁座に接近し過ぎてしまい、ガスの圧力損失が大きくなってしまうという問題が発生する。
【０００９】
なお、ガスメータのケーシング構造自体を、双方向遮断弁に合わせて形成するとなると、ガスメータ自体の設計変更を余儀なくされ、莫大な費用と時間が必要となり実用的ではない。
【００１０】
この発明は、上記従来技術の問題を解消し、例えば緊急遮断弁として、単方向遮断弁に換えて双方向遮断弁を採用するような場合に、ガスメータに装着するだけで簡単に、緊急遮断弁のストローク長を最適に設定できて、圧力損失の低減を図ることができるガスメータにおける緊急遮断弁のストローク調整用弁座アダプタを提供することを目的とする。
【００１１】
【課題を解決するための手段】
上記目的を達成するため、この発明は、ガスメータ内のガス流路上に設けられた緊急遮断口の周縁部に弁座が設けられるとともに、前記緊急遮断口の軸心上の一方側に、前記弁座に対し進退自在な弁体が配置されるガスメータにおける緊急遮断弁のストローク調整用弁座アダプタであって、前記弁座における前記弁体との対向面の全周に配置される環状のアダプタ本体と、前記アダプタ本体を前記弁座に取り付けるためのアダプタ取付手段とを備え、前記弁体が前記アダプタ本体に接離することにより、前記緊急遮断口が開閉されるよう構成されてなるものを要旨としている。
【００１２】
この発明の弁座アダプタにおいては、弁座にアダプタ本体を取り付けて、そのアダプタ本体に弁体を接離させて、緊急遮断口の開閉を行うように構成するものであるため、開弁状態での弁体の位置を、弁座から適度に離した位置に配置することができる。このため、例えば緊急遮断弁として、単方向遮断弁に換えて、ストローク長の短い双方向遮断弁を使用した場合でも、開弁状態での弁体を、弁座から離して最適な位置に配置することができる。
【００１３】
また本発明の弁座アダプタは、既存のガスメータに取り付けるだけで、上記しように緊急遮断弁のストローク長を適切に調整することができる。
【００１４】
一方、本発明においては、前記アダプタ本体に、前記弁座の内側に内嵌される内嵌筒が設けられてなる構成を採用するのが良い。
【００１５】
すなわちこの構成を採用する場合、内嵌筒を介して、アダプタ本体を弁座の内周面全域にバランス良く支持させることができ、優れた形態安定性を得ることができる。従ってアダプタ本体の組付歪みや変形等を確実に防止することができ、緊急遮断弁作動時に、弁体をアダプタ本体に確実に密着させることができるとともに、アダプタ本体及び弁座間を確実にシールすることができる。
【００１６】
また、本発明においては、前記アダプタ取付手段を、前記アダプタ本体の周縁に周方向に沿って均等に複数設けられ、かつ前記弁座における前記弁体に対し反対側の面に弾性係合されるフックにより構成するのが好ましい。
【００１７】
すなわちこの場合には、アダプタを弁座の内周面に挿入するだけで簡単に取り付けることができる上更に、アダプタ本体を弁座に対し周方向全域において十分な取付強度で固定でき、アダプタ本体の組付歪みや変形等を、より確実に防止することができるので、緊急遮断弁作動時に、弁体をアダプタ本体に、より確実に密着させることができるとともに、アダプタ本体及び弁座間を、より確実にシールすることができる。
【００１８】
また本発明においては、前記アダプタ取付手段を、接着剤により構成するのが望ましい。
【００１９】
すなわちこの場合には、アダプタ取付用として複雑な形状のフック等を形成する必要がなく、その分、構造の簡略化を図ることができる。
【００２０】
【発明の実施の形態】
図１はこの発明の実施形態である弁座アダプタ（５０）が適用されたガスメータ（１）における流路遮断部周辺を示す水平断面図、図２はそのガスメータの弁座周辺を拡大して示す水平断面図である。
【００２１】
両図に示すように、このガスメータ（１）は、弁座アダプタ（５０）が設けられる点と、緊急遮断弁（６０）として電動開閉弁（双方向遮断弁）が用いられている点を除いて、上記従来のものと実質的に同じ構成を有している。
【００２２】
すなわち本実施形態のガスメータ（１）におけるケーシング（１ａ）には、ガス流入口（２ａ）の略直下位置に、軸心が前後方向に向いた円柱状の弁室（２）が設けられるとともに、その弁室（２）の前方には、緊急遮断口（３）が設けられる。そしてガス流入口（２ａ）から流入されたガスが、弁室（２）及び緊急遮断口（３）を通って計量室に導かれた後、ガス流出口から流出されるガス流路が形成されている。
【００２３】
また、ケーシング（１ａ）の後壁には、弁室（２）に対応して弁取付孔（１ｂ）が形成されるとともに、その弁取付孔（１ｂ）には、シール板（４）が閉塞状態に取り付けられている。
【００２４】
シール板（４）には、ソレノイド（６１）が固定されるとともに、そのソレノイド（６１）のプランジャ（６１ａ）が軸心を緊急遮断口（３）に一致させた状態でシール板（４）を貫通して弁室（２）内に配置される。更にプランジャ（６１ａ）の先端には、軸心を緊急遮断口（３）に一致させた状態で、円形の弁体（６２）が取り付けられる。
【００２５】
また緊急遮断口（３）の周縁部における弁体（６２）との対向面には、真ちゅう等の金属からなる環状の弁座（６３）が固定されている。
【００２６】
図１ないし図３に示すように、弁座（６３）には、合成樹脂の一体成形品からなる弁座アダプタ（５０）が取り付けられる。弁座アダプタ（５０）は、弁座（６３）の内側に適合する大きさの内嵌筒（５１）を有しており、この内嵌筒（５１）の一端側外周には、内嵌筒（５１）と同軸上に環状のアダプタ本体（５２）が一体に形成されている。このアダプタ本体（５２）は、その端面が弁座面（５２ａ）として構成されている。
【００２７】
内嵌筒（５１）の略中間部には、周方向に所定の間隔おきに設けられ、かつ周方向に沿って均等に配置される複数のフック（５３）が一体に形成されている。このフック（５３）は、一端側が固定端（５３ａ）として内嵌筒（５１）に連接されており、他端側が自由端（５３ｂ）に形成されて、フック自体の弾性力により、自由端（５３ｂ）側が内側に弾性変形し得るよう構成されている。更にこのフック（５３）は、その外周面が、固定端（５３ａ）から自由端（５３ｂ）に向かうに従って、次第に外側に突出するように、テーパ面（５３ｃ）として構成されている。
【００２８】
この構成の弁座アダプタ（５０）が、その内嵌筒（５１）が弁座（６３）の内側にスナップフィットで適合状態で嵌着される。すなわち、アダプタ（５０）の内嵌筒（５１）を弁座（６３）の内側に押し込んだ際に、弁座（６３）の内周面によって、フック（５３）の自由端（５３ｂ）がテーパ面（５３ｃ）を介して、内側に押し込まれ、その状態で弁座（６３）の内側を通り抜けた後、フック自体の弾性力により、自由端（５３ｂ）が外側に突出するように弾性復元する。これにより、自由端（５３ｂ）が弁座（６３）に係合して抜止めされた状態で、弁座（６３）がアダプタ本体（５２）及びフック（５３）間に適合状態に嵌まり込んで、弁座アダプタ（５０）が弁座（６３）に嵌着固定される。この嵌着状態においては、アダプタ本体（５２）の座面（５２ａ）が、緊急遮断弁（６０）の弁体（６２）に軸心を一致させた状態で対向配置される。
【００２９】
なお、弁座（６３）とアダプタ本体（５２）との間には、必要に応じて、シール用パッキン材（接着剤も含む）等を介在させるようにしても良い。
【００３０】
また図１に示すように、ケーシング（１ａ）の前面壁には、復帰軸取付孔（１ｃ）が形成されているが、本実施形態では、双方向遮断弁（６０）を使用することにより、手動による遮断弁復帰操作機構が不要となるため、この孔（１ｃ）には、従来のような手動復帰操作機構が設けられることはなく、孔（１ｃ）を閉塞するための閉塞部材（６）が取り付けられている。
【００３１】
以上の構成のガスメータにおいて、図１に示す開弁状態から、ガス流路を遮断する場合には、緊急遮断弁（６０）のソレノイド（６１）を励磁して、プランジャ（６１ａ）を進出させて、弁体（６２）を弁座アダプタ（５０）の弁座面（５２ａ）に密着させ、緊急遮断口（３）を閉塞する。これによりガス流路が遮断されてガスの供給が停止される。
【００３２】
またこの閉弁状態から、ソレノイド（６１）を励磁して、プランジャ（６１ａ）を後退させると、弁体（６２）が弁座アダプタ（５０）の弁座面（５２ａ）から離脱して緊急遮断口（３）が開放される。これによりガス流路が導通し、ガスの供給が可能となる。
【００３３】
以上のように、本実施形態のガスメータにおいては、弁座（６３）に弁座アダプタ（５０）を嵌着して、弁座（６３）における弁体（６２）との対向面に、弁座アダプタ（５０）のアダプタ本体（５２）を配置し、このアダプタ本体（５２）に弁体（６２）を接離させて、ガスの供給遮断を行うものであるため、緊急遮断弁として、単方向遮断弁に換えて、ストローク長の短い双方向遮断弁（６０）を使用しても、開弁状態での弁体（６２）を、弁座（６３）から適度に離して弁室（２）内の最適位置に配置することができる。従って、圧力損失を低減させることができる。
【００３４】
更に既存のガスメータに、弁座アダプタ（５０）をスナップフィットで嵌着するだけで簡単に、緊急遮断弁（６０）のストローク長を適切に調整することができるので、ガスメータ自体の設計変更は必要なく、コストの削減を図ることができる。
【００３５】
しかも、本実施形態においては、弁座アダプタ（５０）に内嵌筒（５１）をアダプタ本体（５２）に一体に形成するものであるため、アダプタ本体（５２）自体に十分な強度を得ることができる上、アダプタ（５０）が内嵌筒（５１）を介して弁座（６３）の内周面全域においてバランス良く支持され、優れた形態安定性を得ることができる。このため、アダプタ本体（５２）の組付歪みや変形等を確実に防止することができるので、アダプタ本体（５２）と弁座（６３）との間を確実にシールしてその間のガス漏洩を防止しつつ、緊急遮断弁作動時に、アダプタ（５０）の弁座面（５２ａ）に確実に弁体（６２）を密着させることができる。従って、ガス流路を確実に遮断でき、緊急遮断弁（６０）の動作信頼性を向上させることができる。
【００３６】
一方、本実施形態においては、圧力損失を確実に低減させるために、ガスメータ（１）における流路遮断部周辺の寸法を、以下のように設定している。
【００３７】
まず、開弁状態での弁体（６２）と弁座アダプタ（５０）の弁座面（５２ａ）との間隔（Ｄ1 ）、すなわち弁体（６２）のストロークは５ｍｍに設定されている。
【００３８】
弁体（６２）の外径（Ｄ2 )と弁座（６３）の内径（Ｄ3 ）との差は４ｍｍに設定され、弁体（６２）の外径（Ｄ2 )と開弁状態における弁体（６３）の位置での弁室（２）の内径（Ｄ4 ）との差は８ｍｍに設定されている。
【００３９】
例えば弁体（６２）の外径（Ｄ2 )が２４ｍｍの場合には弁室（２）の内径（Ｄ4 ）が３２ｍｍに、また、弁体（６２）の外径（Ｄ2 )が２８ｍｍの場合には弁室（２）の内径（Ｄ4 ）が３６ｍｍに、また、弁体（６２）の外径（Ｄ2 )が３６ｍｍの場合には弁室（２）の内径（Ｄ4 ）が４４ｍｍに設定される。更に弁体（６２）の外径（Ｄ2 )が上記のように、２４ｍｍ、２８ｍｍ、３６ｍｍに設定される場合には、その弁体（６２）との間に４ｍｍの差が生じるように、弁座（６３）の内径（Ｄ3 ）が設定される。
【００４０】
また弁体（６２）の厚さ（Ｄ5 ）は、特に限定されるものではないが、５ｍｍあるいは３．５ｍｍに設定される。なお図の例では、３．５ｍｍに設定されている。
【００４１】
また弁体（６２）の外径（Ｄ2 )が３６ｍｍに設定された場合は、弁座アダプタ（５０）の各部の寸法（Ｄ3 ）（Ｄ6 ）（Ｄ7 ）（Ｄ8 ）（Ｄ9 ）（Ｄ10）は、以下のように設定される。すなわち、（Ｄ3 ）＝３２ｍｍ、（Ｄ6 ）＝３９ｍｍ、（Ｄ7 ）＝３５．７ｍｍ、（Ｄ8 ）＝３３．６ｍｍ、（Ｄ9 ）＝９．３ｍｍ、（Ｄ10）＝２．５ｍｍに設定される。
【００４２】
また本実施形態では、ガス流入口（２ａ）の中心から弁体（６２）の弁面までの距離（Ｄ11）は４．５ｍｍに設定される。
【００４３】
なお本発明の弁座アダプタは、上記実施形態のものだけに限られず、以下の構成のものも用いることができる。
【００４４】
例えば図４に示す弁座アダプタ（１５０）は、一面側が弁座面（１５２ａ）として構成された環状のアダプタ本体（１５２）と、アダプタ本体（１５２）の他端側に一体に形成され、周方向に細かいピッチで均等に配置された多数のフック（１５３）とを備えている。
【００４５】
各フック（１５３）は、軸心方向に沿って延びる脚部（１５４）と、脚部（１５４）の中間外周に一体形成された爪部（１５５）とを有しており、フック自体の弾性力により、先端側が内側に弾性変形し得るよう構成されている。更に脚部（１５４）の先端から爪部（１５５）にかけての外周面は、テーパ面として構成されている。
【００４６】
この弁座アダプタ（１５０）は、各フック（１５３）を弁座（６３）の内側に挿入して、爪部（１５５）を弁座（６３）に抜止め状態に係合するとともに、弁座（６３）をアダプタ本体（１５２）及び爪部（１５５）間に嵌着することにより、弁座（６３）に固定される。
【００４７】
この弁座アダプタ（１５０）を用いた場合においても、上記と同様、弁体（６２）を弁室（２）の最適位置に配置することができ、圧力損失を低減させることができる。更に周方向に均等に多数のフック（１５３）を形成して、各フック（１５３）を弁座（６３）に係合するものであるため、周方向全域において十分な取付強度で固定することができ、アダプタ本体（１５２）の組付歪みや変形等を確実に防止することができる。従って緊急遮断弁作動時に、アダプタ本体（１５２）の弁座面（１５２ａ）に、弁体（６２）を確実に密着させることができる上、アダプタ本体（１５２）と弁座（６３）との間を確実にシールできるので、緊急遮断弁（１６０）の動作信頼性を向上させることができる。
【００４８】
また図５に示す弁座アダプタ（２５０）は、２つのフック（２５３）を備えており、一方側のフック（２５３）が片側半周に連続状に形成されるとともに、他方側のフック（２５３）が残り半周に連続状に形成されている。その他の構成は、上記図４に示すアダプタ（１５０）と同様であるため、同一部分に相当符号を付して重複説明は省略する。
【００４９】
この弁座アダプタ（２５０）も上記と同様にスナップフィットで弁座（６３）に嵌着されて、上記と同様の効果を得ることができる。
【００５０】
なお、上記実施形態等においては、弁座アダプタをフックにより弁座に取り付けるようにしているが、本発明は、それだけに限られず、接着剤により取り付けるようにしても良い。
【００５１】
例えば弁座アダプタを、アダプタ本体のみからなるもの、又はアダプタ本体と内嵌筒からなるものにより構成して、このアダプタを、紫外線硬化型接着剤等の光硬化型接着剤により、弁座に固定するようにしても良い。
【００５２】
更に弁座アダプタを、接着剤とフックとの双方で弁座に強固に取り付けるように構成しても良い。
【００５３】
＜実験例＞
次に上記実施形態と同様のガスメータによる圧力損失試験の結果を示す。
【００５４】
試験条件
試験流体    ：空気
試験流量    ：７ｍ3 ／ｈ
基準器      ：ソニックノズル
差圧計      ：傾斜管マノメータ
弁ストローク：５ｍｍ
弁室の内径  ：４４ｍｍ
上記の条件で、弁体（６２）を、その外径（Ｄ2 )が３２ｍｍ、３４ｍｍ、３６ｍｍ、３８ｍｍのものについて、圧力損失（ｍｍＨ2 Ｏ）をそれぞれ測定した。なお、弁座（６３）の内径（Ｄ3 ）は、弁体（６２）の外径（Ｄ2 )に対して、いずれも４ｍｍの差が生じるように設定した。
【００５５】
0004384768.tif 000002
の値が得られ、外径が３６ｍｍのときがもっとも圧力損失が小さかった。
【００５６】
以上の結果から、弁体（６２）の外径（Ｄ2 )と弁室（２）の内径（Ｄ4 ）の差８ｍｍの場合、最も圧力損失が小さいことが判る。
【００５７】
また弁体（６２）の弁面と、ガス流入口（２ａ）の中心との距離（Ｄ11）を、０ｍｍ、２．５ｍｍ、４．５ｍｍ、６ｍｍのものについて、圧力損失をそれぞれ測定した。
【００５８】
0004384768.tif 000003
の値が得られた。
【００５９】
以上の結果から、距離（Ｄ11）が４．５ｍｍの場合が最も圧力損失が小さく、距離（Ｄ11）を４．５ｍｍ設定するのが最適である。
【００６０】
【発明の効果】
以上のように、この発明のガスメータにおける緊急遮断弁のストローク調整用弁座アダプタによれば、弁座にアダプタ本体を取り付けて、そのアダプタ本体に弁体を接離させて、緊急遮断口の開閉を行うように構成しているため、例えば緊急遮断弁として、単方向遮断弁に換えて、ストローク長の短い双方向遮断弁を使用した場合でも、開弁状態での弁体を、弁座から適度に離して最適位置に配置することができ、圧力損失を低減させることができる。更に既存のガスメータに取り付けるだけで簡単に、緊急遮断弁のストローク長を適切に調整することができるという効果がある。
【００６１】
本発明において、アダプタ本体に、弁座の内側に内嵌される内嵌筒を設ける場合には、内嵌筒を介して、アダプタ本体を弁座の内周面全域においてバランス良く支持することができ、優れた形態安定性を得ることができる。従ってアダプタ本体の組付歪みや変形等を確実に防止することができるので、アダプタ本体に弁体を確実に密着させることができとともに、アダプタ本体及び弁座間のガス漏洩も確実に防止でき、緊急遮断弁の動作信頼性を向上させることができるという利点がある。
【００６２】
また本発明において、アダプタ取付手段を、アダプタ本体の周方向に沿って均等に設けられた複数のフックにより構成する場合には、弁座に挿入するだけで簡単に装着することができる上更に、アダプタ本体を弁座に対し周方向全域においてバランス良く十分な強度で密着させることができ、アダプタ本体の組付歪みや変形等を、より確実に防止することができ、緊急遮断弁の動作信頼性を、より一層向上させることができるという利点がある。
【００６３】
更に本発明において、アダプタ取付手段を、接着剤により構成する場合には、アダプタ取付用として複雑な形状のフック等を形成する必要がなく、その分、構造の簡略化を図ることができ、コストの削減を図ることができるという利点がある。
【図面の簡単な説明】
【図１】この発明の実施形態である弁座アダプタが適用されたガスメータにおけるガス流路遮断部周辺を示す水平断面図である。
【図２】実施形態のガスメータにおける弁座周辺を拡大して示す水平断面図である。
【図３】実施形態のガスメータに適用された弁座アダプタを示す図であって、同図（ａ）は正面図、同図（ｂ）は平面図、同図（ｃ）は断面図である。
【図４】この発明の変形例である弁座アダプタを示す図であって、同図（ａ）は正面図、同図（ｂ）は平面図、同図（ｃ）は断面図である。
【図５】この発明の他の変形例である弁座アダプタを示す図であって、同図（ａ）は正面図、同図（ｂ）は平面図、同図（ｃ）は断面図である。
【図６】ガスメータを示す斜視図である。
【図７】従来のガスメータにおけるガス流路遮断部周辺を示す水平断面図である。
【符号の説明】
１…ガスメータ
３…緊急遮断口
５０、１５０、２５０…弁座アダプタ
５１…内嵌筒
５２、１５２、２５２…アダプタ本体
５３、１５３、２５３…フック（アダプタ取付手段）
６２…弁体
６３…弁座
【図１】
0004384768.tif 000004
【図２】
0004384768.tif 000005
【図３】
0004384768.tif 000006
【図４】
0004384768.tif 000007
【図５】
0004384768.tif 000008
【図６】
0004384768.tif 000009
【図７】
0004384768.tif 000010